(57)【要約】【課題】圧縮機表面から熱を逃げづらくすることで、給湯性能を向上できるヒートポンプ給湯装置を提供すること。【解決手段】本発明のヒートポンプ給湯装置は、圧縮機１１、給湯用熱交換器１２、膨張弁１３、蒸発器１４を順次配管で接続したヒートポンプ回路を有したヒートポンプ給湯装置において、圧縮機１１を真空層で覆ったことにより、圧縮機１１の表面から逃げる熱を低減することができるとともに、給湯性能を向上させることができる。また圧縮機１１から発生している音も遮音することができる。【選択図】図２
2008298388.tif 000002
【特許請求の範囲】
【請求項１】
圧縮機、給湯用熱交換器、膨張弁、蒸発器を順次配管で接続したヒートポンプ回路を有したヒートポンプ給湯装置において、前記圧縮機を真空層で覆ったことを特徴とするヒートポンプ給湯装置。
【発明の詳細な説明】
【技術分野】
【０００１】
本発明は、圧縮機、給湯用熱交換器、膨張弁、及び蒸発器を配管で接続したヒートポンプ回路を有したヒートポンプ給湯装置の構成に関する。
【背景技術】
【０００２】
従来から圧縮機、給湯用熱交換器、膨張弁、及び蒸発器を配管で接続したヒートポンプ回路を有したヒートポンプ給湯装置において、圧縮機から出る音を給湯装置の外に出さないために圧縮機を防音材で覆って、静音性の向上を図っていた（例えば、特許文献１参照）。
【特許文献１】特開２００４−１１６４９８号公報
【発明の開示】
【発明が解決しようとする課題】
【０００３】
しかしながら、防音材で圧縮機を覆っても断熱性が低いため、冷媒に伝えるべき熱が圧縮機表面から逃げてしまっていた。そのため、給湯性能が低下するという課題があった。
【０００４】
本発明は、圧縮機表面から熱を逃げづらくすることで、給湯性能を向上できるヒートポンプ給湯装置を提供することを目的とする。
【課題を解決するための手段】
【０００５】
前記従来の課題を解決するために、本発明のヒートポンプ給湯装置は、圧縮機、給湯用熱交換器、膨張弁、蒸発器を順次配管で接続したヒートポンプ回路を有したヒートポンプ給湯装置において、前記圧縮機を真空層で覆ったことを特徴とするものである。
【０００６】
これによって、圧縮機表面から逃げる熱を低減することができるとともに、給湯性能を向上させることができる。また圧縮機から発生している音も遮音することができる。
【発明の効果】
【０００７】
本発明のヒートポンプ給湯装置は、圧縮機表面から熱を逃げづらくすることで、給湯性能を向上させることができる。
【発明を実施するための最良の形態】
【０００８】
第１の発明のヒートポンプ給湯装置は、圧縮機、給湯用熱交換器、膨張弁、蒸発器を順次配管で接続したヒートポンプ回路を有したヒートポンプ給湯装置において、前記圧縮機を真空層で覆ったことにより、圧縮機表面から熱を逃げづらくすることで、給湯性能を向上させることができる。
【０００９】
以下、本発明の実施の形態について、図面を参照しながら説明する。なお、この実施の形態によって本発明が限定されるものではない。
【００１０】
（実施の形態１）
図１は、本発明の第１の実施の形態におけるヒートポンプ給湯装置の回路構成図である。
【００１１】
まず、本実施例によるヒートポンプ給湯装置のヒートポンプ回路について説明する。
【００１２】
本実施例によるヒートポンプ回路１０は、二酸化炭素を冷媒として用い、高圧側では臨
界圧を越える状態で運転することが好ましい。
【００１３】
ヒートポンプ回路１０は、圧縮機１１、給湯用熱交換器１２、メイン膨張弁１３Ａ、キャピラリーチューブ１３Ｂ、及び蒸発器１４を順に配管で接続して構成されている。また蒸発器１４に空気を送る送風機１５が蒸発器１４の風下側に設置されている。ヒートポンプ回路１０には、圧縮機１１の温度を検出する温度センサ１０Ａ、圧縮機１１からの吐出冷媒温度を検出する温度センサ１０Ｂ、圧縮機１１からの吐出冷媒圧力を検出する圧力センサ１０Ｃ、蒸発器１４の吸入空気を検出する温度センサ１０Ｄ、蒸発器１４の蒸発器温度を検出する温度センサ１０Ｅを備えている。ここで、温度センサ１０Ａはコールドスタートの検出を、圧力センサ１０Ｃは圧縮機１１又はヒートポンプ回路１０の異常検出を行う。
【００１４】
次に、本実施例によるヒートポンプ給湯装置の貯湯回路について説明する。
【００１５】
貯湯タンク２０の底部配管２１は、減圧弁３１を介して水道管等の水供給配管３２に接続されている。また貯湯タンク２０の底部配管２２は、循環ポンプ２３を介して給湯用熱交換器１２の水用配管１２Ａの流入側と接続されている。また、貯湯タンク２０の上部循環用配管２４は、水用配管１２Ａの流出側と接続されている。なお、本実施例による貯湯タンク２０は、積層式の貯湯タンクであり、タンク内での撹拌が防止され、上部に高温水が底部に低温水が蓄積されるように構成されている。
【００１６】
一方、貯湯タンク２０の上部出湯用配管３３は、混合弁３４に接続されている。また、貯湯タンク２０の底部配管２１から分岐させた出水用配管３５は、混合弁３４に接続されている。混合弁３４の流出側の出湯回路は、キッチン、又は洗面所等の給湯用の蛇口３６に接続されている。この出湯回路には、出湯量を検出する流量センサ３０Ａ、出湯温度を検出する温度センサ３０Ｂを備えている。
【００１７】
なお、貯湯タンク２０には、貯湯タンク２０内の湯量を検出するための複数の温度センサ２０Ａ、２０Ｂ、２０Ｃが設けられている。また、水用配管１２Ａの流入側配管には、貯湯タンク２０の底部配管２２から導出される入水温度を検出する温度センサ２０Ｄが設けられている。また、上部循環用配管２４には、水用配管１２Ａから導出される出湯温度を検出する温度センサ２０Ｅが設けられている。
【００１８】
以下、本実施例によるヒートポンプ給湯装置の貯湯運転動作について説明する。
時刻が所定時刻になるか、または、貯湯タンク２０内の温度センサ２０Ａ、２０Ｂ、２０Ｃによって、貯湯タンク２０内の湯量が所定量以下となったことを検出すると、ヒートポンプ回路１０を動作させて貯湯運転を開始する。
【００１９】
ヒートポンプ回路１０では、圧縮機１１で圧縮された冷媒は、給湯用熱交換器１２で放熱し、メイン膨張弁１３Ａ及びキャピラリーチューブ１３Ｂで減圧された後、蒸発器１４で送風機１５により送られてくる空気から熱を吸収し、ガス状態で圧縮機１１に吸入される。
【００２０】
一方、循環ポンプ２３の運転により、貯湯タンク２０内の水は、底部配管２２を通って水用配管１２Ａに導かれ、水用配管１２Ａで加熱された温水は、上部循環用配管２４を通って貯湯タンク２０に戻される。
【００２１】
圧縮機１１での能力制御及び膨張弁１３での開度制御は、温度センサ１０Ｂで検出される冷媒吐出冷媒温度が、あらかじめ設定された温度を維持するように制御される。
【００２２】
次に、図２を用いて本実施例による圧縮機の断熱方法を説明する。
【００２３】
図２は、本実施例による圧縮機の断熱方法を示した断面図である。
【００２４】
圧縮機１１の周囲を真空層４１で覆うことで、真空層４１で圧縮機の周囲から熱エネルギーが外気に逃げるのを低減し、更に圧縮機から出る音を低減できる。
【００２５】
なお、本実施の形態では、貯湯タンクを有する場合で説明したが、給湯用熱交換器で加熱したお湯をそのまま出湯する瞬間湯沸かし式のヒートポンプ給湯装置であってもよい。
【産業上の利用可能性】
【００２６】
以上のように、本発明は、圧縮機を有するヒートポンプ給湯装置に適している。
【図面の簡単な説明】
【００２７】
【図１】本発明の第１の実施の形態におけるヒートポンプ給湯装置の回路構成図
【図２】本発明の第１の実施の形態における圧縮機の断熱方法を示した断面図
【符号の説明】
【００２８】
１０    ヒートポンプ回路
１１    圧縮機
１２    給湯用熱交換器
１３Ａ  メイン膨張弁
１４    蒸発器
１５    送風機
２０    貯湯タンク
４１    真空層
【図１】
2008298388.tif 000003
【図２】
2008298388.tif 000004